(57)【要約】【課題】インクジェット法を用いて、所定の表面形状のパターンを精度よく形成することができるパターン形成装置およびパターン形成方法を提供する。【解決手段】インクジェット法により基板Ｗに塗布液を塗布し、塗布パターンＰを形成する塗布部２と、レーザを照射して塗布パターンＰの表面を整形するレーザ加工部５と、を備える。【選択図】図１
2019061201.tif 000002
【特許請求の範囲】
【請求項１】
インクジェット法により基板に塗布液を塗布し、塗布パターンを形成する塗布部と、
レーザを照射して前記塗布パターンの表面を整形するレーザ加工部と、
を備えることを特徴とする、パターン形成装置。
【請求項２】
前記塗布部によって基板に形成された前記塗布パターンを硬化させるパターン硬化部をさらに有することを特徴とする、請求項１に記載のパターン形成装置。
【請求項３】
前記塗布パターンの表面形状を測定する表面形状測定部をさらに有し、前記レーザ加工部は当該表面形状測定部によって得られた前記塗布パターンの表面形状の測定結果をもとに前記塗布パターンの表面を整形することを特徴とする、請求項１もしくは２に記載のパターン形成装置。
【請求項４】
前記レーザ加工部は、整形後の前記塗布パターンの表面形状が平坦となるようにレーザを照射して整形することを特徴とする、請求項１から３のいずれかに記載のパターン形成装置。
【請求項５】
前記レーザ加工部は、所定の大きさの面に向けて一度にレーザを照射し、当該所定の大きさの面に向けて照射するレーザのエネルギーの分布を調節する照射エネルギー分布調節部をさらに有することを特徴とする、請求項１から４のいずれかに記載のパターン形成装置。
【請求項６】
インクジェット法により基板に塗布液を塗布し、塗布パターンを形成する塗布工程と、
レーザを照射して前記塗布パターンの表面を整形するレーザ加工工程と、
を備えることを特徴とする、パターン形成方法。
【発明の詳細な説明】
【技術分野】
【０００１】
本発明は、インクジェット法を用いてパターンを形成するパターン形成装置およびパターン形成方法に関するものである。
【背景技術】
【０００２】
カラー液晶ディスプレイ等のフラットパネルディスプレイには、色形成の中核を成す部材としてカラーフィルタが用いられている。カラーフィルタは、ガラス基板上に微細なＲ（赤色）、Ｇ（緑色）、Ｂ（青色）の３色の画素が多数並べられて形成されている。
【０００３】
このカラーフィルタを製造する方法として、従来は主にフォトリソグラフィ法が用いられてきた。具体的には、隔壁によって仕切られて形成された多数の微細な画素領域を有するガラス基板面の全体にスリットコーティングなどによりたとえばＲの塗布液を塗布し、次に、Ｒの画素を配置すべき画素領域に塗布された部分のみを露光などにより硬化させることで画素を形成させる。この工程をＲのほかにＧ、Ｂの塗布液を塗布する度に行うことで、３色の画素のカラーフィルタを製作する方法が用いられてきた。しかし、この方法は、硬化させた部分以外の塗布液は除去する必要があるため、カラーフィルタを製作するために必要な塗布液の量が画素を構成する量に比べて大量（３倍以上）となり、製作コストが高いといった欠点があった。
【０００４】
それに対し、近年、特許文献１に示すように、その色の画素の配置が必要な画素領域にのみＲ、Ｇ、Ｂの各塗布液をインクジェットヘッドから吐出して塗布し、Ｒ、Ｇ、Ｂの色画素を形成するというインクジェット法が用いられるようになってきている。この方法では、無駄な塗布液を塗布する必要ないため、フォトリソグラフィ法と比較して製作コストの低減が可能である。
【先行技術文献】
【特許文献】
【０００５】
【特許文献１】特開２００６−０００６９１号公報
【発明の概要】
【発明が解決しようとする課題】
【０００６】
しかしながら、特許文献１のようにインクジェット法を用いて色画素を形成した場合、画素の色調ムラや輝度の低下などが発生するおそれがあった。図４にフォトリソグラフィ法、およびインクジェット法で製作したカラーフィルタの概略図を示す。図４（ａ）はフォトリソグラフィ法によるもの、図４（ｂ）はインクジェット法によるものであり、それぞれ、基板Ｗ上に隔壁Ｂで仕切られて形成された画素領域内に塗布液を塗布し、画素のパターンを形成したものを表している。ここで、図４（ａ）に示すフォトリソグラフィ法によるものであれば、表面が平坦となるように塗布液を塗布することは容易であり、その後露光し、不要な塗布液を除去することでパターンＰ１のような形状の画素を形成することが可能である。これに対し、図４（ｂ）に示すインクジェット法によるものでは、通常、塗布液の塗布によって形成されるパターンＰ２は、中央部が盛り上がった、丸い形状を有する。これは、塗布液自身の表面張力の影響に加え、塗布液が隔壁Ｂを乗り越えて隣の画素領域に混入することを防ぐために、隔壁Ｂの上面が撥液性になっているためであり、塗布液は、この撥液性の影響を受けて収縮し、丸い形状をとる。このパターンＰ２のように中央と端とで厚みに差がある形状のままで最終的に画素が形成されると、画素の色調ムラや輝度の低下など、カラーフィルタの品質面での不具合が発生するという問題があった。
【０００７】
本発明は、上記問題点を鑑み、インクジェット法を用いて、所定の表面形状のパターンを精度よく形成することができるパターン形成装置およびパターン形成方法を提供することを課題とする。
【課題を解決するための手段】
【０００８】
上記課題を解決するために本発明のパターン形成装置は、インクジェット法により基板に塗布液を塗布し、塗布パターンを形成する塗布部と、レーザを照射して前記塗布パターンの表面を整形するレーザ加工部と、を備えることを特徴とする。
【０００９】
本発明のパターン形成装置によれば、塗布液の塗布後に塗布パターンに変形が生じてもその後にレーザ加工部が塗布パターンの整形を行うため、所定の表面形状のパターンを精度よく形成することができる。
【００１０】
また、前記塗布部によって基板に形成された前記塗布パターンを硬化させるパターン硬化部をさらに有すると良い。
【００１１】
こうすることにより、硬化した塗布パターンに対して加工を行うことができるため、レーザ照射により塗布パターンの表面上のある一点に対して加工を行ってもその影響はその点の周囲に及びにくく、その結果、所定の形状に整形することが容易となる。
【００１２】
また、前記塗布パターンの表面形状を測定する表面形状測定部をさらに有し、前記レーザ加工部は当該表面形状測定部によって得られた前記塗布パターンの表面形状の測定結果をもとに前記塗布パターンの表面を整形すると良い。
【００１３】
こうすることにより、表面形状測定部によって得られた塗布パターンの表面形状の測定結果を反映してより精度良く塗布パターンを所定の形状に整形することができる。
【００１４】
また、前記レーザ加工部は、整形後の前記塗布パターンの表面形状が平坦となるようにレーザを照射して整形すると良い。
【００１５】
こうすることにより、形成するパターンがたとえばカラーフィルタの色画素の場合に色調ムラや輝度の低下が少ない良好なパターンを得ることができる。
【００１６】
また、前記レーザ加工部は、所定の大きさの面に向けて一度にレーザを照射し、当該所定の大きさの面に向けて照射するレーザのエネルギーの分布を調節する照射エネルギー分布調節部をさらに有すると良い。
【００１７】
こうすることにより、短い時間でパターン全体を所定の表面形状に整形することができる。
【００１８】
また、上記課題を解決するために本発明のパターン形成方法は、インクジェット法により基板に塗布液を塗布し、塗布パターンを形成する塗布工程と、レーザを照射して前記塗布パターンの表面を整形するレーザ加工工程と、を備えることを特徴としている。
【００１９】
本発明のパターン形成方法によれば、塗布工程後に塗布パターンに変形が生じてもその後にレーザ加工工程において塗布パターンの整形を行うため、所定の表面形状のパターンを精度よく形成することができる。
【発明の効果】
【００２０】
本発明のパターン形成装置およびパターン形成方法によれば、インクジェット法を用いて、所定の表面形状のパターンを精度よく形成することができる。
【図面の簡単な説明】
【００２１】
【図１】本発明の一実施形態におけるパターン形成装置を説明する概略図である。
【図２】本発明におけるパターン形成方法の動作フロー図である。
【図３】レーザ加工前の塗布パターンの形状と塗布パターン全体に向けて照射するレーザのエネルギー分布の関係について示した概略図である。
【図４】フォトリソグラフィ法により形成される塗布パターンの形状とインクジェット法により形成される塗布パターンの形状との比較図である。
【発明を実施するための形態】
【００２２】
本発明に係る実施の形態を図面を用いて説明する。
【００２３】
図１は、本発明の一実施形態におけるパターン形成装置の概略図である。パターン形成装置１は、塗布部２、パターン硬化部３、表面形状測定部４、レーザ加工部５、および制御部６を備えており、塗布部２によって基板Ｗ上に塗布パターンＰが形成され、パターン硬化部３によって塗布パターンＰが硬化する。硬化した塗布パターンＰの表面形状が表面形状測定部４によって測定され、その結果をもとにレーザ加工部５はレーザの出力を調節しながら塗布パターンＰの表面を除去し、所定の表面形状を有するパターンとなるよう整形する。また、制御部６には塗布部２、表面形状測定部４で使用する塗布データ、表面形状測定部４で測定した結果データが格納される。また、塗布部２、パターン硬化部３、表面形状測定部４、レーザ加工部５それぞれの間の基板Ｗの搬送は、図示しないロボットハンド、コンベアなどによって行われる。
【００２４】
塗布部２は、塗布ヘッド２１を有しており、塗布ヘッド２１が有するノズル２２の先端から塗布パターンＰの材料となる塗布液をインクジェット法により液滴として吐出し、基板Ｗ上に塗布パターンＰを形成する。
【００２５】
塗布ヘッド２１により液滴として吐出を行う段階では、塗布パターンＰの材料の粘度は低い。塗布パターンＰの材料は、本実施形態ではたとえば固形材料が揮発性の溶媒に溶解した形態をとっており、溶媒が揮発するにしたがって粘度が高くなりやがて硬化する。このほか、塗布パターンＰの材料はたとえば熱硬化性樹脂や光硬化性樹脂であっても良く、この場合、硬化する前はインクジェット法で吐出が可能な程度の粘度を有し、熱や光を与えることにより硬化する。
【００２６】
ここで、本実施形態では基板Ｗはカラーフィルタ用の基板であり、塗布パターンＰはたとえばＲ、Ｇ、Ｂの色画素である。基板Ｗの表面（塗布パターンＰが形成される側の面）にはマトリクス状に隔壁Ｂが設けられており、この隔壁Ｂに囲まれた基板Ｗ上の塗布領域に塗布パターンＰの材料（液滴）が吐出される。
【００２７】
また、塗布部２は、塗布ヘッド２１と基板Ｗとを少なくとも図１のＸ軸方向およびＹ軸方向に相対移動させる図示しない移動機構を有しており、基板Ｗの上方を塗布ヘッド２１がたとえばＸ軸方向に走査しながらＸ軸方向に並ぶ塗布領域に対して連続して液滴を吐出し、塗布パターンＰを形成する。そして、Ｘ軸方向において基板Ｗの端から端まで走査が完了すると、塗布ヘッド２１は基板Ｗに対してＹ軸方向にシフトし、またＸ軸方向の走査および液滴の吐出を行う。これが繰り返されることにより、基板Ｗ上に設けられた多数の塗布領域上に塗布パターンＰが形成される。
【００２８】
また、塗布ヘッド２１にはＹ軸方向に複数のノズル２２が並んで配置されており、一度のＸ軸方向の走査の間にＹ軸方向に並ぶ複数の塗布領域へ液滴を吐出することが可能である。
【００２９】
なお、基板Ｗ上の塗布領域の位置、塗布すべき分量などのデータを含む塗布データは、制御部６にあらかじめ格納されており、塗布部２はこの塗布データを読みこんだ後、塗布動作を実施する。
【００３０】
パターン硬化部３は、本実施形態ではヒータプレート３１を備えている。ヒータプレート３１は、基板Ｗ全体を載置することが可能な大きさを有しており、ヒータプレート３１が作動することにより基板Ｗが加熱される。本実施形態のように固形材料が揮発性の溶媒に溶解した形態を塗布パターンＰの材料が有していた場合、基板Ｗが加熱されて塗布パターンＰが加熱されることにより溶媒の揮発が促進し、塗布パターンＰが硬化する。
【００３１】
なお、本実施形態ではパターン硬化部３はヒータプレート３１を有しているが、それに加え基板Ｗを囲んで加熱するオーブン機構を備えていても良い。
【００３２】
また、塗布パターンＰの材料が熱硬化性樹脂であった場合でも、上記の通りヒータプレート３１やオーブン機構によって塗布パターンＰが加熱されることにより、塗布パターンＰは硬化する。また、塗布パターンＰの材料が光硬化性樹脂であった場合は、パターン硬化部３にはヒータプレート３１の代わりにランプ機構が設けられ、塗布パターンＰを硬化させる波長の光がこのランプ機構から塗布パターンＰに向かって発せられる。
【００３３】
表面形状測定部４は、本実施形態では測定ヘッド４１を有している。測定ヘッド４１は、いわゆる共焦点方式を採用しており、測定対象である塗布パターンＰの表面に接触することなく測定を行っている。この方式では、投光部４２から出射して塗布パターンＰの表面で反射させたレーザ光をハーフミラー４３を通して受光部４４が受光する。そして、測定ヘッド４１をＺ軸方向に動かしながら複数の受光パターンを採取し、これら受光パターンをもとに塗布パターンＰの表面形状が算出、測定される。なお、投光部４２から出射されるレーザ光は、後述のレーザ加工部５で用いるレーザのように塗布パターンＰを蒸発させるほどの出力は有していない。
【００３４】
また、表面形状測定部４は、測定ヘッド４１と基板ＷとをＸ軸方向およびＹ軸方向に相対移動させる図示しない移動機構も有しており、基板Ｗの上方を測定ヘッド４１がたとえばＸ軸方向に走査しながらＸ軸方向に並ぶ塗布パターンＰに対して連続して表面形状の測定を行う。そして、Ｘ軸方向において基板Ｗの端から端まで走査が完了すると、測定ヘッド４１は基板Ｗに対してＹ軸方向にシフトし、またＸ軸方向の走査および表面形状の測定を行う。これが繰り返されることにより、基板Ｗ上の全ての塗布パターンＰの表面形状を測定することができる。そしてこのように基板Ｗ上の全ての塗布パターンＰの表面形状を測定した結果、表面形状測定部４は表面形状測定結果データを取得する。
【００３５】
なお、塗布パターンＰの表面形状が全ての塗布パターンＰにおいて略均一なのであれば、基板Ｗ上の全ての塗布パターンＰの表面形状を測定する必要はなく、１つの塗布パターンＰにおいて表面形状を測定してその結果を取得し、この結果を基板Ｗ上の全ての塗布パターンＰに当てはめて表面形状測定結果データが作成されても良い。
【００３６】
ここで、基板Ｗ上の測定位置は、制御部６に格納されている塗布データから認識することが可能であり、表面形状測定部４はこの塗布データを読みこんだ後、測定動作を実施すると良い。
【００３７】
そして、表面形状測定部４よって取得された表面形状測定結果データは、制御部６に格納される。
【００３８】
なお、本実施形態では表面形状測定部４は共焦点方式を採用し、塗布パターンＰの表面形状を測定しているが、その方式に限らず、どのような方式であっても良い。たとえばプローブを塗布パターンＰの表面に直接接触させて塗布パターンＰの表面高さを測定する、いわゆる触針方式であっても良い。
【００３９】
レーザ加工部５は、加工ヘッド５１を有し、加工ヘッド５１から加工対象である塗布パターンＰに向けてレーザを出射する。塗布パターンＰにおいてレーザと接触した部分は蒸発して除去され、これにより塗布パターンＰの形状を調節することができる。
【００４０】
加工ヘッドは投光部５２を有している。投光部５２は本実施形態では近紫外線レーザであり、数ナノ秒〜数十ナノ秒のパルス幅にて発振し、レーザを出射する。
【００４１】
投光部５２から出射されたレーザは、ミラー５３で反射されて塗布パターンＰに向かう。ミラー５３は、本実施形態では２枚のガルバノミラーであり、これらガルバノミラーの角度を制御することにより、塗布パターンＰ上でレーザが到達する位置を制御することができる。これによって、レーザ加工部５は、所定の大きさの面（本実施形態では各塗布パターンＰの表面全体）に向けて一度にレーザを照射することが可能である。
【００４２】
ここで、レーザ加工部５は、表面形状測定部４によって取得された表面形状測定結果データをあらかじめ読み込むことにより、塗布パターンＰの形状を所定の形状にするための塗布パターンＰの各位置における除去量を算出することができ、この算出結果にしたがって塗布パターンＰ全体にレーザを照射することによって、塗布パターンＰの形状を所定の形状にすることができる。
【００４３】
また、レーザ加工部５は、加工ヘッド５１と基板ＷとをＸ軸方向およびＹ軸方向に相対移動させる図示しない移動機構も有しており、基板Ｗの上方を加工ヘッド５１がたとえばＸ軸方向に並ぶ塗布パターンＰに対して連続して表面の整形を行う。そして、Ｘ軸方向において基板Ｗの端から端まで整形が完了すると、加工ヘッド５１は基板Ｗに対してＹ軸方向にシフトし、またＸ軸方向に連続した塗布パターンＰへの加工を行う。これが繰り返されることにより、基板Ｗ上の全ての塗布パターンＰに対して整形を行うことができる。
【００４４】
制御部６は、ＣＰＵおよびＲＡＭやＲＯＭを有するコンピュータであり、塗布部２による塗布動作、パターン硬化部３による加熱動作、表面形状測定部４による表面測定動作、およびレーザ加工部５によるレーザ加工動作の制御を行うほか、基板Ｗの搬送の制御も行う。
【００４５】
また、制御部６は、ハードディスクや、ＲＡＭまたはＲＯＭなどのメモリからなる、各種情報を記憶する記憶装置を有しており、基板Ｗに塗布部２が塗布パターンＰを形成するための位置情報などの塗布データがこの記憶装置に記憶される。また、この記憶装置には、表面形状測定部４によって測定された結果である表面形状測定結果データも一時的に記憶され、この記憶された表面形状測定結果データをもとにレーザ加工部５を動作させることができる。
【００４６】
次に、本発明の一実施形態におけるパターン形成方法の動作フロー図を図２に示す。
【００４７】
まず、図示しないロボットハンドなどにより基板Ｗが搬送されることにより、塗布部２へ基板Ｗが移動する（ステップＳ１）。塗布部２は、制御部６から塗布データを受け取り、その塗布データをもとにインクジェット法により基板Ｗへ塗布パターンＰの材料である塗布液を塗布し、基板Ｗ上に塗布パターンＰを形成させる（ステップＳ２）。本説明では、このステップＳ２に示される工程を塗布工程と呼ぶ。
【００４８】
この塗布工程の直後は塗布パターンＰの粘度は低いため、仮に平坦な形状となるように塗布液を塗布した場合であっても塗布液の表面張力が影響して変形する可能性がある。特に、この塗布工程がカラーフィルタの製造工程の一部であり撥液性を有する隔壁で囲まれた場所に塗布液を塗布する工程であれば、この隔壁の撥液性も作用し、塗布パターンＰは図４（ｂ）に示すような上に凸の形状に変形する。
【００４９】
次に、図示しないロボットハンドなどにより基板Ｗが搬送されることにより、パターン硬化部３へ基板Ｗが移動する（ステップＳ３）。パターン硬化部３は、たとえば塗布パターンＰを加熱して塗布パターンＰ内の溶媒を揮発させることにより塗布パターンＰを硬化させる（ステップＳ４）。本説明では、このステップＳ４に示される工程をパターン硬化工程と呼ぶ。このパターン硬化工程により塗布パターンＰが硬化した後も、塗布工程後に塗布パターンＰが変形した影響は残存する。
【００５０】
次に、図示しないロボットハンドなどにより基板Ｗが搬送されることにより、表面形状測定部４へ基板Ｗが移動する（ステップＳ５）。表面形状測定部４は、制御部６から受け取った塗布データをもとに塗布パターンＰの位置を認識し、基板Ｗ上の各塗布パターンＰの表面形状を測定する（ステップＳ６）。本説明では、このステップＳ６に示される工程を表面形状測定工程と呼ぶ。この表面形状の測定の結果である表面形状測定結果データは、制御部６に格納される。
【００５１】
次に、図示しないロボットハンドなどにより基板Ｗが搬送されることにより、レーザ加工部５へ基板Ｗが移動する（ステップＳ７）。レーザ加工部５は、表面形状測定工程によって得られた表面形状測定結果データを制御部６から受け取り、この表面形状測定結果データをもとに塗布パターンＰの表面をレーザ加工し、塗布パターンＰを整形する（ステップＳ８）。本説明では、このステップＳ８に示される工程をレーザ加工工程と呼ぶ。
【００５２】
レーザ加工工程では、塗布パターンＰが硬化した後に塗布パターンＰの整形を行うため、レーザ照射により塗布パターンＰの表面上のある一点の除去作業を行ってもその影響はその点の周囲に及びにくく、その結果、所定の形状に整形することが容易となる。仮に塗布パターンＰがまだ軟らかいうちに加工を行った場合、塗布パターンＰの材料自身の表面張力などにより加工後に再び変形が生じ、加工後の塗布パターンＰの表面形状を所定の形状にすることが困難となる。
【００５３】
ここで、本実施形態では、レーザ加工部５ではミラー５３によって塗布パターンＰ上でレーザが到達する位置を制御すると同時に、それぞれの到達位置におけるレーザのパルス幅などを投光部５２が調節することによってレーザのエネルギーを調節することにより、塗布パターンＰの表面に対して照射するレーザのエネルギーに分布を持たせ、塗布パターンＰの整形を行っている。すなわち、投光部５２およびミラー５３は、所定の大きさの面に向けて一度にレーザを照射し、当該所定の大きさの面に向けて照射するレーザのエネルギーの分布を調節する照射エネルギー分布調節部として働いている。
【００５４】
図３は、レーザ加工前の塗布パターンＰの形状と塗布パターンＰ全体に向けて照射するレーザのエネルギー分布の関係について示した概略図である。単位時間に塗布パターンＰの表面上の１点に与えるレーザのエネルギーを大きくすると、図３におけるＺ軸方向の塗布パターンＰの除去量が大きくなる。
【００５５】
この除去量とレーザ座標とで作られる図形（図３において除去図形Ｑと定義する図形）に関し、図３の例では塗布パターンＰが上に凸の形状であるのに対し、除去図形Ｑは塗布パターンＰの表面と同等の曲面を有する下に凸の図形となっている。このような場合を、除去図形Ｑの形状が塗布パターンＰの表面近傍の形状と反対の形状であると呼び、このように除去図形Ｑの形状が塗布パターンＰの表面近傍の形状と反対の形状となっていた場合、このエネルギー分布にもとづいて塗布パターンＰの整形を行った結果、塗布パターンＰの表面形状は図３に二点鎖線で示すように平坦となる。このように塗布パターンＰの表面形状を平坦にすることにより、カラーフィルタにおけるＲ、Ｇ、Ｂの色画素として働く塗布パターンＰは、色調ムラや輝度の低下が少ない良好なパターンとなる。
【００５６】
ここで、レーザ加工部５は、表面形状測定部４によって取得した表面形状測定結果データを制御部６から受け取ることにより、塗布パターンＰの表面形状を所定の形状にするためのレーザのエネルギー分布を算出することができ、この算出結果にしたがって塗布パターンＰ全体にレーザを照射することによって、塗布パターンＰの表面形状を所定の形状にすることができる。
【００５７】
以上の工程を経て、基板Ｗ上に所定の形状のパターンが形成される。
【００５８】
以上のパターン形成装置およびパターン形成方法により、インクジェット法を用いて、所定の表面形状のパターンを精度よく形成することが可能である。
【００５９】
なお、今回開示された実施形態および実施例は、すべての点で例示であって制限的なものではないと考えられるべきである。本発明の範囲は、上記した実施形態および実施例の説明ではなく特許請求の範囲によって示され、さらに特許請求の範囲と均等の意味および範囲内でのすべての変更（変形例）が含まれる。
【００６０】
たとえば、上記の説明では塗布パターンは隔壁に囲まれた色画素であるが、それに限らず基板上の配線パターンであっても良い。配線パターンをインクジェット法により形成する場合であっても、配線パターンが硬化するまでにたとえば配線の中央部が高くなるというような変形が生じる可能性があり、本発明が好適に用いられうる。そのほかにも、たとえば有機ＥＬ、ＱＤＣＦ（量子ドットカラーフィルタ）、ＱＬＥＤ（量子ドットＬＥＤ）などのパターン形成にも本発明が好適に用いられうる。
【００６１】
また、塗布パターンの整形後の形状は必ずしも平坦面でなくても良い。
【００６２】
また、パターン硬化工程後の塗布パターンの表面形状は必ずしも上に凸の形状である必要はなく、たとえば下に凸の形状であっても良い。仮に隔壁部が親液性であり、この隔壁部に囲まれた場所に塗布液を塗布する場合、塗布パターンの形状は下に凸となり、このような塗布パターンに対しても、本発明が好適に用いられうる。
【００６３】
また、上記の説明ではパターン形成装置１は加熱機構やランプ機構を有するパターン硬化部を備えているが、それに限らない。たとえば、塗布液が溶媒を含有するものであり、たとえば室温で所定時間放置することにより溶媒の揮発が進んで塗布パターンが硬化するものであれば、特にパターン硬化部を必要としない。
【００６４】
また、上記の説明ではパターン形成装置１は表面形状測定部４を備えており、塗布パターンが形成された基板を作成するたびに表面形状測定工程を実施しているが、塗布液が塗布された後の塗布パターンが変形する挙動が常に同じなのであれば、その変形挙動に応じたレーザ加工を全ての塗布パターンに実施すれば良く、表面形状測定工程を必要としない。
【００６５】
また、上記の説明では、図示しないロボットハンド、コンベアなどによって塗布部、パターン硬化部、表面形状測定部、レーザ加工部それぞれの間の基板の搬送が行われているが、それに限らず、基板は１つのステージに固定され、その基板の上方を塗布部、パターン硬化部、表面形状測定部、レーザ加工部が移動する形態であっても良い。
【００６６】
また、上記の説明では、レーザ加工部は照射するレーザのエネルギー分布を調節することによって塗布パターン上の各位置での除去量を調節して塗布パターンの整形を行っているが、それに限らず、たとえば１回のレーザ照射のエネルギーは一定にして照射回数を調節することによって除去量を調節するようにしても良い。
【符号の説明】
【００６７】
１  パターン形成装置
２  塗布部
３  パターン硬化部
４  表面形状測定部
５  レーザ加工部
２１  塗布ヘッド
２２  ノズル
３１  ヒータプレート
４１  測定ヘッド
４２  投光部
４３  受光部
５１  加工ヘッド
５２  投光部
５３  ミラー
Ｂ  隔壁
Ｐ  塗布パターン
Ｑ  除去図形
Ｗ  基材
【図１】
2019061201.tif 000003
【図２】
2019061201.tif 000004
【図３】
2019061201.tif 000005
【図４】
2019061201.tif 000006